(57)【要約】      （修正有）【課題】スライダブロックを備えたスクロール圧縮機において、バンプに適切な潤滑を実現する。【解決手段】スクロール圧縮機は、駆動軸２４を駆動するモータ２２を有し、偏心ピン２６は、駆動軸２４から上方へかつスライダブロック２８内に延びている。スライダブロック２８は、旋回スクロール部材１７から下方へ延びるボス１３０内で受けられている。旋回スクロール１７は、非旋回スクロール１９と嵌合して圧縮室を画定する。ボス１３０の内面３１は、スライダブロック２８に対する停止面を画定している。オイル通路２７は、駆動軸２４を通じて上方に延びており、偏心ピン２６の上端部と旋回スクロール１７の面３１との間の領域内にオイルを供給する。本発明は、この場所に十分な間隙が存在し、オイルが通路２７の外側に自在に流動できるようにする。【選択図】図１
2008255878.tif 000002
【特許請求の範囲】
【請求項１】
スクロール圧縮機であって、
基部と、前記基部から延びる概ね渦巻き形のラップとを有する第１のスクロール部材と、
基部と、その基部から延びる概ね渦巻き形のラップとを有する第２のスクロール部材であって、前記概ね渦巻き形のラップに対する前記基部の反対側から延びるボスを有し、前記ボスが、内部ボアを画定しかつ端面を有する第２のスクロール部材と、
駆動軸を駆動するモータであって、前記駆動軸が、上方へかつ前記ボス内の前記内部ボア内に延びる偏心ピンを有するモータと、
前記偏心ピンと前記内部ボアとの間に配置されたスライダブロックであって、基準表面と、前記基準表面を越えかつ前記旋回スクロールの前記端面に向かって配置された垂直な上表面とを有し、前記垂直な上表面が、前記偏心ピンの９０°と１８０°の間の角度範囲にわたって延びるスライダブロックと、
を備えるスクロール圧縮機。
【請求項２】
請求項１に記載のスクロール圧縮機であって、前記スライダブロックが、前記偏心ピンの表面と接触して前記第２スクロール部材を駆動し旋回させるための平坦部を備える内部ボアを有し、前記垂直な上表面が、前記平端部を囲む角度範囲にわたって延びるスクロール圧縮機。
【請求項３】
請求項１に記載のスクロール圧縮機であって、前記垂直な上表面が、各円周方向範囲に、前記基準表面と結合する傾斜を有するスクロール圧縮機。
【請求項４】
請求項１に記載のスクロール圧縮機であって、前記角度が１２０°であるスクロール圧縮機。
【請求項５】
スクロール圧縮機であって、
基部と、前記基部から延びる概ね渦巻き形のラップとを有する第１のスクロール部材と、
基部と、その基部から延びる概ね渦巻き形のラップとを有する第２のスクロール部材であって、前記概ね渦巻き形のラップに対する前記基部の反対側から延びるボスを有し、前記ボスが、内部ボアを画定しかつ端面を有する第２のスクロール部材と
駆動軸を駆動するモータであって、前記駆動軸が、上方へかつ前記ボス内の前記内部ボア内に延びる偏心ピンを有するモータと、
前記偏心ピンと前記内部ボアとの間に配置されたスライダブロックであって、基準表面と、前記基準表面を越えかつ前記旋回スクロールの前記端面に向かって配置された垂直な上表面とを有し、前記垂直な上表面が、９０°と１８０°の間の角度範囲にわたって延びるスライダブロックと、
を備え、前記スライダブロックが、前記偏心ピンの表面と接触して前記第２のスクロール部材を駆動し旋回させる平端部を備える内部ボアと、前記平端部を囲む角度範囲にわたって延びる前記垂直な上表面とを有し、前記垂直な上表面が、各円周範囲に、前記基準上表面と結合する傾斜を有するスクロール圧縮機。
【発明の詳細な説明】
【技術分野】
【０００１】
本願は、上表面が基準表面から上方に延びてオイル用の間隙をもたらし、かつその上表面が少なくとも９０°かつ１８０°未満にわたって延びて十分な量の表面積を提供する、スクロール圧縮機用のスライダブロックに関する。
【背景技術】
【０００２】
スクロール圧縮機は、冷媒圧縮の用途で広く利用されている。スクロール圧縮機では、一対のスクロール部材が互いに対して旋回する。通常、２つのスクロール部材上の渦巻き状のラップが、この旋回動作の間に互いに対して移動して、冷媒を閉じ込め、次いで圧縮する。
【０００３】
電気モータは、旋回スクロール部材を駆動して旋回させる。駆動軸上の偏心ピンは、スライダブロック内へと上方に延びている。スライダブロックは、旋回スクロール部材から下方に延びるボス内へと、上方に延びている。オイルは、オイル通路を通過し、軸を通過し、そして偏心ピンを通過する。
【０００４】
従来技術において、スライダブロックの上表面の、離隔された上方に延びる小さなバンプを組み合わせることは知られていた。そのバンプによって、スライダブロックの大きな基準表面は、スライダブロックが時折移動して旋回スクロールのボスの内面と近接するとき、旋回スクロールのボスの内面から少なくとも定められた間隙だけ離隔されるようになる。この間隙によって、オイル通路を通過した潤滑油は、スライダブロックの基準表面に沿って、偏心ピンとスライダブロックとの間を、またスライダブロックとボスとの間を循環できるようになる。
【０００５】
個別のバンプを有する従来技術には、寿命の問題がある。具体的には、バンプは、比較的小さな表面積の上に形成されており、磨耗を受けやすい。したがって、従来技術において、これらのバンプは早期に磨耗することがあり、適切な潤滑を実現することに課題があった。
【０００６】
（発明の開示）
開示する本発明の実施形態において、スクロール圧縮機用のスライダブロックは、スライダブロックの基準表面から上方に延びる上面を有している。この上表面は、スライダブロックの重心軸の周りで少なくとも９０°かつ１８０°未満にわたって延びている。開示する実施例において、上表面は１２０°にわたって延びている。傾斜によって、上表面が基準表面に連結している。
【０００７】
このより大きな表面積を設けることによって、本発明は、スクロール圧縮機の寿命の間に、磨耗に耐えるための相当な付加的表面積が存在するようにしている。
【０００８】
本発明のこれらの特徴および他の特徴は、以下の明細書および図面からよく理解されよう。以下はその図面の簡単な説明である。
【発明を実施するための最良の形態】
【０００９】
スクロール圧縮機２０を図１に示してあり、このスクロール圧縮機２０は、駆動軸２４を駆動するモータ２２を有している。偏心ピン２６は、駆動軸２４から上方へかつスライダブロック２８内に延びている。スライダブロック２８は、旋回スクロール部材１７から下方へ延びるボス１３０内で受けられている。公知のように、旋回スクロール１７は、非旋回スクロール１９と嵌合して圧縮室を画定する。ボス１３０の内面３１は、スライダブロック２８に対する停止面を画定している。公知のように、オイル通路２７は、駆動軸２４を通じて上方に延びており、偏心ピン２６の上端部と旋回スクロール１７の面３１との間の領域内にオイルを供給する。本発明は、この場所に十分な間隙が存在し、オイルが通路２７の外側に自在に流動できるようにすることに関する。
【００１０】
図２に示すように、本発明のスライダブロック２８は、上表面３０と、傾斜のついた表面３２とを有しており、その傾斜のついた表面３２は、基準表面３４へと下方へ延びている。公知のように、平坦な駆動表面３６が、スライダブロックの内表面に配置されており、偏心ピンの平坦表面と接触している（図３およびピン２６の平坦表面１２０を参照）。曲線状部分３８が、平坦部３６の端部を連結している。上表面３０は、平坦な駆動表面３６の周りで延びている。
【００１１】
上表面３０は、角度Ａにわたって延びている。角度Ａは、９０°と１８０°の間である。範囲をより広くすると、オイルの流れが制限されることがあり、一方で、範囲をより狭くすると、適切な摩擦保護が得られないことがある。開示する実施形態において、角度Ａは１２０°である。基準表面３４と比較した上表面３０の高さは、従来技術のバンプの高さに概ね等しいか、または０．２ｍｍから２．０ｍｍの範囲内である。
【００１２】
図３に示すように、偏心ピン２６は、駆動軸２４の円柱形部分１３から上方に、偏心して延びている。スライダブロック２８は通常、部分１３上に位置している。この図からまた図４の断面面から理解できるように、上表面３０は、スライダブロックが時折上に移動するとき、旋回スクロール１７の面３１と接触する。比較的大きな表面３０を使用すると、従来技術と比較して相当な摩擦保護がもたらされ、スライダブロックは従来技術よりも長く耐えるようになる。
【００１３】
本発明の好ましい実施形態について開示したが、特定の修正が本発明の範囲内に含まれることが当業者には理解されよう。したがって、先の特許請求の範囲が、本発明の真の範囲および内容を定めるために検討されるべきである。
【図面の簡単な説明】
【００１４】
【図１】図１は、スクロール圧縮機の横断面図である。
【図２】図２は、本発明のスライダブロックの平面図である。
【図３】図３は、スライダブロックおよび駆動軸の斜視図である。
【図４】図４は、本発明のスライダブロックの横断面図である。
【図１】
2008255878.tif 000003
【図２】
2008255878.tif 000004
【図３】
2008255878.tif 000005
【図４】
2008255878.tif 000006
【外国語明細書】
2008255878.tif 000007
2008255878.tif 000008
2008255878.tif 000009
2008255878.tif 000010
2008255878.tif 000011
2008255878.tif 000012
2008255878.tif 000013
2008255878.tif 000014
2008255878.tif 000015
2008255878.tif 000016